(57)【要約】  前面の眼鏡の縁（２）と、連結クランプ（４）によって前面の眼鏡の縁（２）に連結された２つの眼鏡のつる（３）とからなる眼鏡フレームである。
2008500567.tif 000002
【特許請求の範囲】
【請求項１】
前面の眼鏡の縁（２）と、連結クランプ（４）によって前面の眼鏡の縁（２）に連結された２つの眼鏡のつる（３）とからなることを特徴とする眼鏡フレーム（１）。
【請求項２】
前面の眼鏡の縁（２）が２つの眼鏡レンズの収容のために形成されており、前面の眼鏡の縁（２）の末端部が眼鏡レンズの収容用の開口部（７）を有することを特徴とする、請求項１に記載の眼鏡フレーム（１）。
【請求項３】
前面の眼鏡の縁（２）が本質的に１つの平面を形成し、接続留め具（５）が前記平面の末端部に屈曲して位置決めされていることを特徴とする、請求項１または２のいずれか一項に記載の眼鏡フレーム（１）。
【請求項４】
接続留め具（５）が、互いに噛み合う上部エレメント（９）と下部エレメント（１０）とからなることを特徴とする、請求項１〜３のいずれか一項に記載の眼鏡フレーム（１）。
【請求項５】
接続留め具（５）のエレメント（９、１０）が、前記エレメント（９、１０）が少なくとも３空間方向に互いに移動できないように、噛み合うことを特徴とする、請求項１〜４のいずれか一項に記載の眼鏡フレーム（１）。
【請求項６】
接続留め具（５）が一緒になって燕尾状の連結部（８）を形成する上部及び下部エレメント（９、１０）からなることを特徴とする、請求項１〜５のいずれか一項に記載の眼鏡フレーム（１）。
【請求項７】
接続留め具（５）のエレメント（９、１０）が低減された材料強度（１９）を有する少なくとも１つの部分と、エレメント（９、１０）の少なくとも一方が標準の材料強度の少なくとも１つの部分を有し、その際、低減された材料強度（１９）を有する部分がそれぞれ重なり合うように、前記エレメント（９、１０）が互いに噛み合うことを特徴とする、請求項１〜５のいずれか一項に記載の眼鏡フレーム（１）。
【請求項８】
接続留め具（５）の上部及び下部エレメント（９、１０）が互いに係留可能であることを特徴とする、請求項１〜７のいずれか一項に記載の眼鏡フレーム（１）。
【請求項９】
接続留め具（５）が連結クランプ（４）の滑落を阻止する装置を有することを特徴とする、請求項１〜８のいずれか一項に記載の眼鏡フレーム（１）。
【請求項１０】
装置が接続留め具（５）の外側の補強部（１２）及び／または接続留め具（５）内の凹部（１３）であることを特徴とする、請求項９に記載の眼鏡フレーム（１）。
【請求項１１】
連結クランプ（４）が上部エレメント（９）または下部エレメント（１０）の一部であることを特徴とする、請求項１〜１０のいずれか一項に記載の眼鏡フレーム（１）。
【請求項１２】
眼鏡のつる（３）が渦巻状の端部（６）を有することを特徴とする、請求項１〜１１のいずれか一項に記載の眼鏡フレーム（１）。
【請求項１３】
眼鏡のつる（３）の渦巻状の端部（６）が連結クランプ（４）及び接続留め具（５）を含むことを特徴とする、請求項１〜１２のいずれか一項に記載の眼鏡フレーム（１）。
【請求項１４】
連結クランプ（４）が接続留め具（５）を含み、その結果、接続留め具（５）のエレメント（９、１０）が全ての６空間方向へ移動できないことを特徴とする、請求項１〜１３のいずれか一項に記載の眼鏡フレーム（１）。
【請求項１５】
両方の巻込まれた連結クランプ（４）の側面（１４）が、眼鏡のつる（３）のコイルバネが位置決めされた１つの通路（１５）を形成することを特徴とする、請求項１〜１４のいずれか一項に記載の眼鏡フレーム（１）。
【請求項１６】
接続留め具（５）、連結クランプ（４）及び眼鏡のつる（３）の渦巻状の端部（６）がコイルバネヒンジ（１７）を形成することを特徴とする、請求項１〜１５のいずれか一項に記載の眼鏡フレーム（１）。
【請求項１７】
第１の工程で眼鏡レンズが前面の眼鏡の縁（２）の中に挿入され、連結クランプ（４）が係留されるまで接続留め具（５）に押開され、次に眼鏡のつる（３）がその狭い最外側の渦巻状に巻込まれた端部（６）と共にすでに連結クランプ（４）によって閉じられた前面の眼鏡の縁（２）の接続留め具（５）の残留する溝部の中に貫通され、かつ眼鏡のつる（３）が後方へ眼鏡の縁（２）から離れた側に引き込まれることを特徴とする、請求項１から１６のいずれか一項に記載の眼鏡フレーム（１）の製造方法。
【発明の詳細な説明】
【技術分野】
【０００１】
本発明は、眼鏡フレーム及び眼鏡フレームの製造方法に関する。
【０００２】
眼鏡フレームは種々の形状及び形式で知られている。これらの形状は大抵その都度支配する流行の影響下にある。その際、レンズの縁を眼鏡のつると連結するために、様々な形式の眼鏡ヒンジが使用される。多くの場合、この連結部がねじ止め式ヒンジによって製造される。これは、ねじ止めが固すぎる場合は、ヒンジが動かしづらくなり、あるいはネジが簡単に脱落するようなゆるさでヒンジが調節されるという欠点を有する。上開位置もしくは折畳位置への眼鏡のつるの固定はこの眼鏡ヒンジによっては不可能である。
【発明の開示】
【発明が解決しようとする課題】
【０００３】
従って、本発明の課題は、眼鏡フレームの眼鏡のつるを上開位置及び折畳位置に固定できる眼鏡フレームを提供することである。
【課題を解決するための手段】
【０００４】
本発明は、前面の眼鏡の縁と、連結クランプによって前面の眼鏡の縁に連結された２つの眼鏡のつるとからなる眼鏡フレームによって解決される。
【発明の効果】
【０００５】
眼鏡フレームは、全体または一部をコーティングできる、例えば金属、カーボンまたは合成樹脂のような平坦な材料からなる。このように眼鏡フレームを全体または一部合成樹脂またはラッカー層によって覆うことが可能である。
【０００６】
好ましくは、前面の眼鏡の縁が２つの眼鏡レンズの収容のために形成されており、前面の眼鏡の縁の末端部が眼鏡レンズの収容用の開口部を有する。この開口部は、眼鏡レンズが前面の眼鏡の縁の凹部の中に締め付けることができるような幅で眼鏡の縁を開くことを可能にする。この実施形態において、レンズは眼鏡技師がレンズの中へはめ込む前に切削される溝を必要とする。
【０００７】
前面の眼鏡の縁は、好ましくは本質的に１つの平面を形成し、接続留め具が前記平面の末端部に屈曲して位置決めされている。さらに好ましくは、前記接続留め具は、互いに噛み合う上部及び下部エレメントからなる。
【０００８】
接続留め具のエレメントは、好ましくは前記エレメントが少なくとも３空間方向に互いに移動できないように噛み合わせている。
【０００９】
本発明の枠組みにおける空間方向とは、直交軸系によって固定され、かつ空間軸に沿ってそれぞれ「＋」及び「−」の空間方向を有する空間内の６方向のことである。従って、本発明の意味において、３空間軸「ｘ」、「ｙ」及び「ｚ」が６空間方向「−ｘ」、「＋ｘ」、「−ｙ」、「＋ｙ」、「−ｚ」及び「＋ｚ」を形成する。
【００１０】
接続留め具の上部及び下部エレメントは動かすことができる。しかしながら、本発明に記載された運動方向は上部エレメントにのみ関係する。
【００１１】
本発明の好ましい一実施形態において、接続留め具は一緒になって燕尾状の連結部を形成する上部及び下部エレメントからなる。燕尾状の連結部は、該連結部を非常に平坦に製造でき、かつそれにもかかわらず確実な連結を可能にする長所を有する。このような連結部は、４空間方向への接続留め具のエレメントの移動を阻止するであろう。
【００１２】
接続留め具のエレメントは、好ましくは低減された材料強度を有する少なくとも１つの部分と、エレメントの少なくとも１つが標準の材料強度の少なくとも１つの部分を有し、その際、低減された材料強度を有する部分がそれぞれ重なり合うように、前記エレメントが互いに噛み合う。その際、眼鏡フレームは、平坦な材料からフライス盤切削、エッチング、レーザ裁断、スタンピングまたはエロージョンによって製造される。その他の好適な方法は、当業者に公知である。
【００１３】
この方法工程において、同時に上部及び下部エレメントの領域で材料低減が行われる。しかしながら、分離された作業工程で上部及び下部エレメントの材料低減を行うことも可能である。
【００１４】
眼鏡フレームは、接続留め具の上部及び下部エレメントが低減された強度を有するように加工でき、上部エレメントと下部エレメントの強度は一緒になって前面の眼鏡の縁の標準の強度に相当する。このような実施形態によって、＋ｚ、−ｚ及び−ｙ方向相互への接続留め具の移動が阻止される。上部または下部エレメントの一方の部分のみがその材料強度で低減され、他方の部分がその標準の材料強度に放置され、かつ同様にその材料強度で、例えばそれぞれ５０％低減されるように、それぞれ対向するエレメントが形成される場合、＋ｚ、−ｚ、＋ｘ及び−ｘ方向への移動が阻止されるように、両方のエレメントが互いに噛み合う。これは、これらが前面の眼鏡の縁の標準の強度で放置されたエレメントの部分と衝突するためである。この場合、接続留め具のエレメントは４空間方向への移動を阻止するであろう。
【００１５】
しかしながら、上部及び下部エレメントがそれぞれ完全にその材料強度で低減された実施形態は、１空間方向へのエレメント相互の移動のみが阻止されることになる。その結果、このような実施形態は不安定である。低減された材料強度もしくは材料強度の低減されない複数の部分を有する下部エレメント及び上部エレメントの形成によって、別の方向への接続留め具のエレメントの移動に対するロックが可能である。
【００１６】
しかしながら、エレメントが全ての６空間方向に互いに移動できないように、接続留め具のエレメントが互いに噛み合う実施形態も可能である。このような実施形態は、例えば、好ましくは接続留め具の上部及び下部エレメントが互いに係留可能であるということから得ることができる。これは、連結クランプの使用を省くことができ、しかしまた前記連結クランプが付加的な固定部としても使用でき、もしくは眼鏡のつるの渦巻状の端部の収容に利用できるという長所を有する。このような実施形態において、低減された材料強度を有する部分は、それぞれ対向する上部及び下部エレメントの方向へ構造上の拡大部を有するように前記部分が形成されている。
【００１７】
接続留め具は、好ましくは連結クランプの滑落を阻止する装置を有する。接続留め具は、眼鏡のつると前面の眼鏡の縁との間を連結するエレメントである。同様に、前記接続留め具は連結クランプと協働で眼鏡の縁を保持する閉鎖ブロックの役割を満たす。さらに、接続留め具の平面の部分区間（上部及び下部エレメントが互いに噛み合う箇所）は、ヒンジの機能方式の重要な構成要素である。
【００１８】
滑落を阻止する装置は、好ましくは接続留め具の外側の補強部及び／または接続留め具内の凹部とすることができる。このエレメントによって、連結クランプを確実に接続留め具上に係留することが可能である。連結クランプの可逆的な固定によって、眼鏡フレームを常時取り外すことができる。しかしながら、連結クランプが持続的に係留され、その結果、製造後の眼鏡フレームの分解をもはや不可能にすることも可能である。
【００１９】
接続留め具の上部及び下部エレメントは１つの平面を形成し、例えば燕尾状の連結部における移動が前記平面でできないように、上部及び下部エレメントが互いに噛み合う。
【００２０】
連結クランプは、該連結クランプの少なくとも１つの側面が上部及び下部エレメント周りに噛み合うように、上部及び下部エレメントを取り囲む。それによって、連結クランプからのエレメントの一方の脱落が阻止され、かつ全眼鏡フレームのより高い安定性を達成する。
【００２１】
本発明の好ましい一実施形態において、連結クランプは上部エレメントまたは下部エレメントの一部である。
【００２２】
上部及び下部エレメントの相互の移動が阻止される（上部及び下部エレメントは常に一列に並置されなければならない）ために、両エレメントは燕尾状の連結部によって互いに制限されている。しかしながら、前記連結部は、別様に成形された連結部によって製造することもできる。つまり、燕尾状の連結部に代わり、一方のエレメントの円形、三角形、四角形、多角形またはその他の幾何学的形状も可能であり、前記エレメントは、前記付与形状に適合する凹部に噛み合い、かつ前記目的すなわち平面内の移動を阻止する
【００２３】
本発明の好ましい一実施形態において、眼鏡のつるは渦巻状の端部を有する。眼鏡のつるは、その前面の眼鏡の縁に対向する前端部に、眼鏡のつるのより狭い外端部が初めに屈曲され、次に渦巻状に巻込まれた階段状に形成された空洞部を形成する。
【００２４】
その際、渦巻状に巻込まれた端部は、接続留め具の上部及び下部のブリッジ間の開口部を通して噛み合うように形成されている。その際、眼鏡のつるの渦巻状の端部は、好ましくは連結クランプ及び接続留め具を含む。その際、眼鏡のつるの前端部での階段状の形成は、眼鏡のつるを確実にその取付位置に保持し、ならびに上開状態で水平の平面での眼鏡のつるの遊びを阻止する機能を有する。
【００２５】
連結クランプは、好ましくは接続留め具を含み、それによって、上部及び下部エレメント間の連結部が閉じられている。その際、連結クランプは２つの機能を有し、一つは前記連結クランプがレンズの挿入後に前面の眼鏡の縁を保持することに用いられ、第２に前記連結クランプは上開状態でも折畳状態でも水平の平面内で眼鏡のつるの案内及び安定化に用いられる。
【００２６】
両方の巻込まれた連結クランプの側面は、好ましくは眼鏡のつるのコイルバネが位置決めされた１つの通路を形成する。連結クランプは、そのため接続留め具に移動され、そこで係留される。両方の巻込まれたクランプの側面は、次に眼鏡のつるのコイルバネが眼鏡のつるの取付後に位置決めされた１つの通路を形成する。
【００２７】
本発明の好ましい一実施形態において、接続留め具、連結クランプ及び眼鏡のつるの渦巻状の端部がコイルバネヒンジを形成する。このコイルバネヒンジは眼鏡のつるの容易な屈曲を可能にする。さらに、コイルバネヒンジは、例えば眼鏡の装着時にワイシャツのポケットの中で生じ得るような制御できない眼鏡のつるの飛出しを阻止する。
【００２８】
さらに、本発明の課題は、眼鏡フレームの製造方法によって解決され、第１工程で眼鏡レンズが前面の眼鏡の縁の中に挿入され、連結クランプが係留されるまで接続留め具に移動され、次に眼鏡のつるがその狭い最外側の渦巻状に巻込まれた端部と共にすでに連結クランプによって閉じられた前面の眼鏡の縁の接続留め具の残留する溝部の中に貫通され、かつ眼鏡のつるが後方へ眼鏡の縁から離れた側に引き込まれ、そこに係留される。その際、工具を使用しない組立が可能である。
【００２９】
以下、本発明は、図及び例を利用してより詳しく説明する。
【発明を実施するための最良の形態】
【００３０】
図１ａ及び図１ｂは、本発明の構成要素の図である。
図２ａ及び図２ｂは、押開された連結クランプを有する前面の眼鏡の縁の図である。
図３ａ及び図３ｂは、組立状態の眼鏡ヒンジの図である。
図４ａ及び図４ｂは、組立てた折畳状態の眼鏡フレームの図である。
図５ａ及び図５ｂは、燕尾連結部の図である。
図６は、連結クランプの図である。
図７は、渦巻状に曲げた端部を有する眼鏡のつるの端部の図である。
図８ａ、図８ｂ、図８ｃは、眼鏡のつるの屈曲時の種々の位置でのコイルバネヒンジの図である。
図９は、連結クランプを有する接続留め具の図である。
図１０は、上部及び下部エレメントの種々の実施形態の図である。
図１１ａ及び図１１ｂは、前面の眼鏡の縁の正面及び裏面の図である。
図１２ａ及び図１２ｂは、前面の眼鏡の縁の別の実施形態の正面及び裏面の図である。
図１３ａ〜図１３ｃは、接続留め具の図示である。
図１４ａ及び図１４ｂは、別の視角からの図１３ａ〜ｃの接続留め具の図である。
図１５ａ〜図１５ｅは、接続留め具のエレメントの一実施形態の透視図である。
図１６ａ〜図１６ｅは、接続留め具のエレメントの一実施形態の別の透視図である。
図１７ａ〜図１７ｅは、接続留め具のエレメントの一実施形態のもう１つの透視図である。
図１８ａ〜図１８ｅは、接続留め具の一実施形態の別の透視図である。
【００３１】
図１ａ及び１ｂは、前面の眼鏡の縁２と、２つの眼鏡のつる３と、１つの連結クランプ４とからなる眼鏡フレーム１を示す。眼鏡の縁２に、２つの屈曲した接続留め具５がある。
【００３２】
図２ａ及び２ｂは、２つの異なる視角からの眼鏡フレーム１を示す。ここで連結クランプ４はすでに接続留め具５を介して差し込まれている。燕尾状の連結部の上方もしくは下方に、接続留め具の上部ならびに下部のエッジ部に、上部及び下部エレメントを保持する連結クランプが確実な保持部を提供するそれぞれ１つの空洞部がある。接続留め具での空洞部は、連結クランプの取付時に該連結クランプが縁から滑落できないことを生ぜしめるラチェットの作用を有する。
【００３３】
図３ａ及び３ｂは、前面の眼鏡の縁２が連結クランプ４によって眼鏡のつる３と互いに連結される眼鏡フレーム１の透視図を示す。その際、眼鏡のつる３の渦巻状の端部６が接続留め具５及び連結クランプ４を含む。
【００３４】
図４ａ及び４ｂは、図３ａ及び３ｂと同じ図面であるが折畳んだ眼鏡で示している。
【００３５】
図５ａ及び５ｂは、開口部７を有する接続留め具５を示す。前面の眼鏡の縁２の開口部７は、燕尾連結部８によって閉じられている。この燕尾連結部８は、接続留め具５の上部エレメント９及び下部エレメント１０によって形成される。接続留め具５は連結クランプ４の係留を可能にする装置を有する。この装置は種々の形式で接続留め具５を滑落から保護することができ、このように接続留め具５は材料の補強部１２で及び／または凹部１３によって形成することができる。
【００３６】
図６は、２つの巻込まれた側面１４を有する連結クランプ４を示す。側面１４は、眼鏡のつる３の渦巻状の端部６が挿入される通路１５を形成する。
【００３７】
図７は、眼鏡のつる３の渦巻状の端部６を示す。眼鏡のつる３は、その眼鏡の縁２の対向する前端部に階段状の空洞部１６を形成し、その中により狭い眼鏡のつる３の外端部が初めに屈曲されて、次に渦巻状に巻込まれている。さらに、眼鏡のつる３の前端部での階段状の形成は、眼鏡のつる３を確実にその組立位置に保持する機能を有する。
【００３８】
図８ａは、開いた位置での眼鏡のつる３を示す。図５ａ及び５ｂに示した燕尾連結部８は、連結クランプ４の一部と連結されてコイルバネヒンジ１７のヒンジ面を形成する。前記平面１８周りに渦巻状の端部６及び階段状の空洞部１６によって形成される眼鏡のつる３の前端部６が回転する。
【００３９】
燕尾連結部８の平面は、形成された階段状の空洞部１６と眼鏡のつる３の外端部６との間でコイルバネにその内在するばね力によって締め付けられる。この静止位置で眼鏡のつる３が固定して接続留め具５に保持される。
【００４０】
図８ｂは、折り曲げる瞬間の眼鏡のつる３を示す。空洞部１６を有する眼鏡のつる３の渦巻状の端部６は、燕尾連結部８によって形成される平面周りに図８ｃに示した閉鎖状態を占めるために巻き付けなければならない。このプロセスにおいて、コイルバネは平面１８（ヒンジ面）から押出される。眼鏡のつる３の折畳み時に一定の点に達したとき、眼鏡のつる３が図８ｃに示した折畳位置へ音を立てて外れる。
【００４１】
図８ｃは折畳状態での眼鏡のつる３を示す。図８ｃで、眼鏡のつる３は新たに静止状態にある。コイルバネは開脚されており、平面１８周りに巻き付けられている。ここで新たに図８ａのような状態になる。燕尾連結部８の平面１８は、眼鏡のつる３がそれ以上押開されず、折畳まれて前面の眼鏡の縁２に当接することを相違点として、階段状の空洞部１６と眼鏡のつる３の最外端部との間でコイルバネにその内在するバネ力によって締め付けられる。
【００４２】
図９は、連結クランプ４が差し込まれた接続留め具５を有する前面の眼鏡の縁２を示す。連結クランプの両側面１４は接続留め具５を含み、上部及び下部エレメント９、１０の分離漂遊を阻止する。
【００４３】
連結クランプ４の固定のために、上部及び下部エレメント９、１０の端部に連結クランプ４の滑落を阻止する補強部１２がある。
【００４４】
図１０ａ、１０ｂ及び１０ｃは、接続留め具５の上部エレメント９と下部エレメント１０との間の連結の種々の実施形態を示す。
【００４５】
図１０ａに、連結クランプ４は接続留め具５を介して差し込んで示している。その際、両方の巻込まれた側面１４は、図１０ａの下側の点線で示すように、上部エレメント９も下部エレメント１０も覆う。しかしながら、両方の側面１４が上部エレメント９も下部エレメント１０も覆うことも可能である。この両方のエレメント９、１０のコーティングによって、安定した連結が達成される。
【００４６】
上部エレメント９のみまたは下部エレメント１０のみが側面１４によって覆われるとき、この連結は両方のエレメント９または１０の一方の滑落によってゆるめることができる。
【００４７】
図１１ａに、下部エレメント１０が片側で５０％だけその材料強度が低減された眼鏡フレーム１の一実施形態の裏面及び図１１ｂにその正面を示しており、その結果、低減された材料強度１９を有する部分が生じる。上部エレメント９は、その中心に同様にエレメント１０の低減された材料強度１９を有する部分が適合する低減された材料強度１９を有する部分を有するように形成されている。その際、下部エレメント１０の低減された材料強度１９を有する部分は、これが上部エレメント９の標準の材料強度を有する部分に突き合わせるように形成されている。それによって、両方のエレメント９及び１０の＋ｚ及び−ｚ方向への移動が抑制される。連結クランプ４が接続留め具５の両方のエレメント９及び１０を介して移動されるとき、全ての６空間方向へのエレメント９及び１０の互いの移動が抑制される。
【００４８】
図１２ａ及び１２ｂに、図１１ａ及び１１ｂに示した実施形態に類似の一実施形態を示す。その際、図１２ａは、両方のエレメント９、１０が僅かに互いに移動して取り付けた低減された材料強度１９を有する２つの部分を有する裏面を示し、図１２ｂは、前記実施形態の正面を示し、その結果、これらは部分的にオーバーラップする。それによって、＋ｘ及び−ｘ、−ｙ、＋ｚ及び−ｚ空間方向へのエレメント９、１０の移動が抑制される。
【００４９】
図１３ａ〜ｃ及び図１４ａ及びｂは、前面の眼鏡の縁２が下部エレメント９、１０に対して上部エレメントの−ｚ、−ｙ、＋ｘ及び−ｘ空間方向への移動が阻止されるように材料強度がそのまま放置された接続留め具５の一実施形態を示す。
【００５０】
図１３ｂに、上部及び下部エレメント９、１０が重なり合う図１３ａに示したものと同じ接続留め具５の実施形態を示す。
【００５１】
図１３ｃは、上部及び下部エレメント９、１０をｙ方向に互いに離して移動して図示した図１３ｂと同じ実施形態を示す。
【００５２】
図１４ａ及び１４ｂは、それぞれ図１３ｂ及び１３ｃに示した接続留め具５の実施形態の裏面図を示す。
【００５３】
図１５ａ〜ｅに、接続留め具５の別の実施形態を示す。この実施形態において、上部エレメント９及び下部エレメント１０は、５空間方向への移動が阻止されるように形成されている。つまり、上部及び下部エレメント９、１０は、ｘ及びｚ軸へ移動することは不可能である。ｙ軸上の移動は、１空間方向にのみ可能である。すなわち両方のエレメントは、図１５ｃ及び１５ｅに示したように、互いに離れて移動する（＋ｙ）ことによってのみ可能である。−ｙ空間方向への自由度が必要であり、それによって眼鏡レンズを挿入するために前面の眼鏡の縁２を開けることができる。
【００５４】
図１６ａ〜１６ｅに、エレメント９、１０の＋ｘ、−ｘ、＋ｚ及び−ｚ空間方向ならびに−ｙ空間方向への移動を阻止するように、ずらして取り付けられた、接続留め具の上部及び下部エレメント９、１０がそれぞれ低減された材料強度を有する３つの部分からなる接続留め具５の透視図を示す。この接続留め具５の実施形態において、少なくとも１空間方向（＋ｙ）が阻止されず、その結果、眼鏡レンズの簡単な交換を可能にするために、前面の眼鏡の縁を開くことができる。この最後に残留する空間方向も阻止されているために、接続留め具５を介し、滑落に対して接続留め具５の外端部に取り付けられた補強部１２によって確保された閉鎖クランプ４が移動される。
【００５５】
図１７ａ〜ｅ及び１８ａ〜ｅに、上部エレメント９が下部エレメント１０に対して押圧されるとき、互いに係留される接続留め具５の実施形態を示している。従って、この接続留め具５の実施形態は、閉鎖クランプ４の使用を省くことを可能にする。しかしながら、閉鎖クランプ４を追加の確保部として取り付けることも可能である。
【００５６】
図１７ａ〜ｅは、全ての６空間方向への移動を阻止する下部エレメント１０も上部エレメント９もそれぞれ低減された材料強度を有する２つの部分を有する接続留め具の一実施形態を示す。さらに、低減された材料強度１９を有する部分は、燕尾状に構造的に拡大されており、その結果、上部エレメント９及び下部エレメント１０が相互に差し込まれるとき、それらは増大した力の取り込みによってのみ再び互いに引き離すことができる。
【００５７】
また、図１８ａ〜ｅは、全空間方向への接続留め具５のエレメント９、１０の移動が阻止された実施形態を示す。図１８ａ〜ｅに示した実施形態において、上部エレメント９及び下部エレメント１０は、それぞれ低減された材料強度１９を有する３つの部分を有する。
【００５８】
構成要素の組立例：
第一に、溝を備えた眼鏡レンズが前面の眼鏡の縁２の中に挿入され、かつ連結クランプ４が接続留め具５の凹部１３（空洞部）の中に係留されるまで、前記連結クランプが上に押開けられる。次に、眼鏡のつる３はその狭い最外側の渦巻状に巻込まれた端部６と共に前面の眼鏡の縁２のすでに連結クランプ４によって閉じられた接続留め具５の残留溝部の中に貫通される。これが行われたとき、眼鏡のつる３は後方へ眼鏡枠から離れた側に引き込まれる。その際、眼鏡のつる３の渦巻状に巻込まれた端部６が容易に接続留め具５の後端部に達し、そこで係留されるまで階段状に形成された空洞部１６によって開脚される。ここで組み込まれたコイルバネヒンジ１７が使用可能の状態になる。この組立のために工具は不要である。
【図面の簡単な説明】
【００５９】
【図１．ａ】本発明の構成要素の図である。
【図１．ｂ】本発明の構成要素の図である。
【図２．ａ】押開された連結クランプを有する前面の眼鏡の縁の図である。
【図２．ｂ】押開された連結クランプを有する前面の眼鏡の縁の図である。
【図３．ａ】組立状態の眼鏡ヒンジの図である。
【図３．ｂ】組立状態の眼鏡ヒンジの図である。
【図４．ａ】組立てた折畳状態の眼鏡フレームの図である。
【図４．ｂ】組立てた折畳状態の眼鏡フレームの図である。
【図５．ａ】燕尾連結部の図である。
【図５．ｂ】燕尾連結部の図である。
【図６】連結クランプの図である。
【図７】渦巻状に曲げた端部を有する眼鏡のつるの端部の図である。
【図８．ａ】眼鏡のつるの屈曲時の種々の位置でのコイルバネヒンジの図である。
【図８．ｂ】眼鏡のつるの屈曲時の種々の位置でのコイルバネヒンジの図である。
【図８．ｃ】眼鏡のつるの屈曲時の種々の位置でのコイルバネヒンジの図である。
【図９】連結クランプを有する接続留め具の図である。
【図１０．ａ】上部及び下部エレメントの種々の実施形態の図である。
【図１０．ｂ】上部及び下部エレメントの種々の実施形態の図である。
【図１０．ｃ】上部及び下部エレメントの種々の実施形態の図である。
【図１１．ａ】前面の眼鏡の縁の正面及び裏面の図である。
【図１１．ｂ】前面の眼鏡の縁の正面及び裏面の図である。
【図１２．ａ】前面の眼鏡の縁の別の実施形態の正面及び裏面の図である。
【図１２．ｂ】前面の眼鏡の縁の別の実施形態の正面及び裏面の図である。
【図１３．ａ】接続留め具の図示である。
【図１３．ｂ】接続留め具の図示である。
【図１３．ｃ】接続留め具の図示である。
【図１４．ａ】別の視角からの図１３ａ〜ｃの接続留め具の図である。
【図１４．ｂ】別の視角からの図１３ａ〜ｃの接続留め具の図である。
【図１５．ａ】接続留め具のエレメントの一実施形態の透視図である。
【図１５．ｂ】接続留め具のエレメントの一実施形態の透視図である。
【図１５．ｃ】接続留め具のエレメントの一実施形態の透視図である。
【図１５．ｄ】接続留め具のエレメントの一実施形態の透視図である。
【図１５．ｅ】接続留め具のエレメントの一実施形態の透視図である。
【図１６．ａ】接続留め具のエレメントの一実施形態の別の透視図である。
【図１６．ｂ】接続留め具のエレメントの一実施形態の別の透視図である。
【図１６．ｃ】接続留め具のエレメントの一実施形態の別の透視図である。
【図１６．ｄ】接続留め具のエレメントの一実施形態の別の透視図である。
【図１６．ｅ】接続留め具のエレメントの一実施形態の別の透視図である。
【図１７．ａ】接続留め具のエレメントの一実施形態のもう１つの透視図である。
【図１７．ｂ】接続留め具のエレメントの一実施形態のもう１つの透視図である。
【図１７．ｃ】接続留め具のエレメントの一実施形態のもう１つの透視図である。
【図１７．ｄ】接続留め具のエレメントの一実施形態のもう１つの透視図である。
【図１７．ｅ】接続留め具のエレメントの一実施形態のもう１つの透視図である。
【図１８．ａ】接続留め具の一実施形態の別の透視図である。
【図１８．ｂ】接続留め具の一実施形態の別の透視図である。
【図１８．ｃ】接続留め具の一実施形態の別の透視図である。
【図１８．ｄ】接続留め具の一実施形態の別の透視図である。
【図１８．ｅ】接続留め具の一実施形態の別の透視図である。
【符号の説明】
【００６０】
１  眼鏡フレーム
２  前面の眼鏡の縁
３  眼鏡のつる
４  閉鎖クランプ
５  接続留め具
６  渦巻状の端部
７  開口部
８  燕尾連結部
９  上部エレメント
１０  下部エレメント
１１  凹所（眼鏡レンズ用）
１２  補強部
１３  凹部
１４  側面
１５  通路
１６  空洞部
１７  コイルバネヒンジ
１８  平面
１９  低減された材料強度を有する部分
【図１】
2008500567.tif 000003
【図１】
2008500567.tif 000004
【図２】
2008500567.tif 000005
【図２】
2008500567.tif 000006
【図３】
2008500567.tif 000007
【図３】
2008500567.tif 000008
【図４】
2008500567.tif 000009
【図４】
2008500567.tif 000010
【図５】
2008500567.tif 000011
【図５】
2008500567.tif 000012
【図６】
2008500567.tif 000013
【図７】
2008500567.tif 000014
【図８】
2008500567.tif 000015
【図８】
2008500567.tif 000016
【図８】
2008500567.tif 000017
【図９】
2008500567.tif 000018
【図１０】
2008500567.tif 000019
【図１０】
2008500567.tif 000020
【図１０】
2008500567.tif 000021
【図１１】
2008500567.tif 000022
【図１１】
2008500567.tif 000023
【図１２】
2008500567.tif 000024
【図１２】
2008500567.tif 000025
【図１３】
2008500567.tif 000026
【図１３】
2008500567.tif 000027
【図１３】
2008500567.tif 000028
【図１４】
2008500567.tif 000029
【図１４】
2008500567.tif 000030
【図１５】
2008500567.tif 000031
【図１５】
2008500567.tif 000032
【図１５】
2008500567.tif 000033
【図１５】
2008500567.tif 000034
【図１５】
2008500567.tif 000035
【図１６】
2008500567.tif 000036
【図１６】
2008500567.tif 000037
【図１６】
2008500567.tif 000038
【図１６】
2008500567.tif 000039
【図１６】
2008500567.tif 000040
【図１７】
2008500567.tif 000041
【図１７】
2008500567.tif 000042
【図１７】
2008500567.tif 000043
【図１７】
2008500567.tif 000044
【図１７】
2008500567.tif 000045
【図１８】
2008500567.tif 000046
【図１８】
2008500567.tif 000047
【図１８】
2008500567.tif 000048
【図１８】
2008500567.tif 000049
【図１８】
2008500567.tif 000050
【国際調査報告】
2008500567.tif 000051
2008500567.tif 000052
2008500567.tif 000053
2008500567.tif 000054
2008500567.tif 000055
2008500567.tif 000056